Podtech/llm-jp-corpus-v4-ja_patent huggingface dataset:
(57)【要約】      （修正有）【課題】トイレ等の消臭液や、野外で使用する動物忌避溶剤を発散助長させる溶液発散容器を提供する。【解決手段】溶液ビン１に貫通ネジ３を締めたものと、籠付き溶液受け皿４に櫛型に加工した吸水材５をセットしたものにより構成する。さらに、籠付き溶液受け皿４を溶液ビン１に被せて一体化させ、溶液ビンを逆さに立て、貫通ネジ下部と溶液受け皿６に隙間を設け、溶液が溶液受け皿６に落下、トリチェリの定理の活用で溶液は常に一定水位を保たれ、溶液受け皿６に櫛型に加工した吸水材の下部を浸すことにより、毛細管現象が働き、常時溶液の発散を助長するようにして、発散器を構成する。【選択図】図１
0003163508.tif 000002
【実用新案登録請求の範囲】
貫通ネジ蓋を設けた溶液ビンと、籠付き溶液受け皿からなり、溶液ビンの蓋と溶液受け皿の底と一定の間隔を保つために、溶液ビンと籠が一体化され溶液ビン蓋と溶液受け皿の底と一定の間隔が維持され、トリチェリーの定理の活用で溶液水位は常に一定に保たれ、溶液受け皿に櫛型に加工した吸水材を浸す事により、毛細管現象が働き、溶液の発散を助長する発散容器。
【考案の詳細な説明】
【技術分野】
【０００１】本考案は、溶液を容器に入れ、発散させ、トイレ等の消臭液、動物忌避溶液を発散、助長させる溶液発容器の考案です。
【背景技術】
【０００２】従来から、トイレ等の消臭液などを発散させる容器はありました。ボトルの中に、吸水材などを吊り下げ、毛細管現象を活用し発散させていました。
ところが、ボトルの中の溶液が減り、水位が下がるに従って毛細管現象の活動に順じて発散力が下がり、容器を振り回し、吸水材の上部に振り上げて、発散力を回復してきました。    溶液受け皿にトリチェリーの定理を活用し、常時溶液水位を一定に保つ、櫛型に裁断した吸水材を溶液受け皿に立てて浸し、毛細管現象を活用して、溶液発散を助長させる容器です。
【考案の開示】
【考案の解決しようとする課題】
【０００３】野外で雨天でも使用可能にし、溶液の発散を助長させる容器の考案です。
【課題を解決するための手段】
【０００４】容器を雨天の際も使用を可能にし、ボトルに溶液を入れ、中蓋を閉めます。
中蓋を外し、貫通しているネジ蓋を閉め、籠付き溶液受け皿をボトルに被せ、ボトルと籠付き受け皿をセットします。  セットした籠付き受け皿を下にして立てますと溶液は受け皿に落下を始め、トリチェリーの定理で、逆さにした蓋の底辺と落下した溶液の水位が一致しますと溶液の落下は停止、受け皿の溶液が減ると、溶液の落下を繰返す、常に溶液の水位は一定に保たれ、安定した溶液の発散を続けられます。溶液受け皿に櫛型に加工した吸水材を受け皿に立てておきますと毛細管現象が働き、溶液の発散を助長させる考案です。
【考案の効果】
【０００５】雨天でも使用可能になり、櫛型に加工した吸水材が毛細管現象を助長し、溶液の発散が常に安定して発散させます。
【実施例】
【０００７】考案した容器を使用して、忌避剤の発散で猿などの被害が少なくなりました。【０００８】溶液ビン１の先に中蓋２を嵌めたり、外したり、貫通ネジ３を締め、籠付き溶液受け皿４を溶液ビン１にセットして、溶液ビン１を逆さにして使用しますと溶液は溶液受け皿６に落下し、トリチェリーの定理で貫通ネジ３下部と溶液水位が一致した時、溶液の落下は停止、溶液が減った際、溶液は落下を繰り返し、常に溶液は常時、同じ水位を保つ、溶液受け皿６に、櫛型にした吸水材５の下部を溶液に浸しますと、毛細管現象が働き溶液の発散を助長する発散容器。
【図面の簡単な説明】
【図１】溶液ビン１の先に中蓋２を嵌めたり、外したり、貫通ネジ蓋３を締め、籠付き溶液受け皿４を溶液ビン１にセットして、溶液ビンを逆さにして使用しますと溶液は溶液受け皿６に落下し、トリチェリーの定理で、貫通ネジ下部と溶液水位が一致した時、溶液の落下は停止、、溶液が減った際、溶液は落下を繰り返し、溶液は常時一定の水位を保つ、溶液受け皿６に、櫛型にした給水材５の下部を溶液に浸しますと、毛細管現象が働き溶液の発散を助長する溶液発散容器。１  溶液ビン  ２  中蓋  ３  貫通ネジ蓋  ４  籠付き溶液受け皿  ５  櫛型吸水材  ６  溶液受け皿
【図１】
0003163508.tif 000003
【手続補正書】
【提出日】平成22年7月28日(2010.7.28)
【手続補正１】
【補正対象書類名】実用新案登録請求の範囲
【補正対象項目名】全文
【補正方法】変更
【補正の内容】
【実用新案登録請求の範囲】
【請求項１】
溶液ビンに貫通ネジを締めたものと、籠付き溶液受け皿に櫛型に加工した吸水材をセットしたものからなり、籠付き溶液受け皿を溶液ビンに被せて一体化させ、溶液ビンを逆さに立て、貫通ネジ下部と溶液受け皿に隙間を設け、溶液が溶液受け皿に落下、トリチェリの定理の活用で溶液は常に一定水位を保たれ、溶液受け皿に櫛型に加工した吸水材の下部を浸すことにより、毛細管現象が働き、常時溶液の発散を助長する発散器。
(57)【要約】      （修正有）【課題】確実に日除けでき、スポーツ、外出等に使用でき、かつ少量の布を使用し、化粧品が付着することのない首の日除けの為のネックカバーを提供する。【解決手段】首まわり程の長さの長方形の布地を用い、長手方向の一端に面ファスナーの凹面を配し、又、他端の反対側（ウラ面）に面ファスナーの凸面を配する。さらに、該布地の長辺の片側を、両端から中央部にかけてゆるやかなカーブを描いた丘状に形成し、面ファスナーの凹面と丘の頂上部と間の適所にロゴマークを設けて日除けネックカバーを形成する。【選択図】図３
0003163510.tif 000002
【実用新案登録請求の範囲】
【請求項１】
スポーツに適した素材とし、着脱し易くするためと首周りのサイズを調整できるよう、マジックテープを表面端と裏面端に縫い付け、布幅を後ろ中心から前中心にかけて自然なカーブで前面を広くし、Ｔシャツなどの襟ぐりに入れられるようにすることを特徴とする日除けネックカバー。
【考案の詳細な説明】
【技術分野】
【０００１】  本考案は、屋外でのテニスを初めスポーツ時、買い物等での外での活動の際、首を陽射しから防ぐ着脱し易い首に巻くネックカバーに関するものである。
【背景技術】
【０００２】  従来の製品は、被る型や、（特許文献１、２参照）釦で止めるもの（特許文献３参照）などがある。
【先行技術文献】
【０００３】
【特許文献１】  特開２００１−２７９５０８号
【特許文献２】  登録実用新案第３１５９４８３号
【特許文献３】  登録実用新案第３１１７７６１号
【考案の概要】
【考案が解決しようとする課題】  被る型は化粧品が付き、着脱しにくい。首を陽射しから防ぐ為だけの範囲の布でよい。被る型は首周りを調節できない。シンプルで便利なものがない。
本考案は以上の問題点を解決するものである。
【課題を解決するための手段】  スポーツに適した素材とし、着脱し易くする為と首周りのサイズを調整できるよう、マジックテープを表面端と裏面端に縫い付ける。布幅を後ろ中心から前中心にかけて自然なカーブで前面を広くし、Ｔシャツなどの襟ぐりに入れられるようにする。
【考案の効果】  （イ）余分な布範囲が無く、最低限の布で覆うので涼しく陽射しを防げる。（ロ）化粧品が付く心配もなく安心して使用できる。（ハ）マジックテープで簡単に止められ、首周りの大きさや、陽射しなどに対応できる調節可能なので、首にぴったりでもゆるめにもその日に合わせ自由に使用できる。（ニ）スポーツ時には汗止めの機能も兼ね、ロゴを加えておしゃれ感覚で楽しめる日除けカバーになった。
【図面の簡単な説明】
【図１】本考案の一部である使用状態の前面の斜視図
【図２】本考案の一部である使用状態の後ろ中央図
【図３】本考案の一部である広げた時の表面の図
【図４】本考案の一部である広げた時の裏面の図
【考案を実施するための形態】
以下、本考案の実施の形態を説明する。
（イ）表面端にマジックテープ凹面（３）を縫い付ける。
（ロ）裏面端にマジックテープ凸面（４）を縫い付ける。
（ハ）表面端にロゴを付ける。
（ニ）中表に縫い合わせる。
本考案は以上のような構造である。
本考案を使用する時は、首に合わせてマジックテープでワンタッチで止められ、簡単で陽射しに安心して行動でき、外す時にも簡単で着脱し易い。
【産業上の利用可能性】  素材を替えればウインタースポーツなどにも利用可能である。
【符号の説明】（１）表面布、（２）裏面布、（３）マジックテープ凹面、（４）マジックテープ凸面
（５）ロゴマーク
【図１】
0003163510.tif 000003
【図２】
0003163510.tif 000004
【図３】
0003163510.tif 000005
【図４】
0003163510.tif 000006
【手続補正書】
【提出日】平成22年8月1日(2010.8.1)
【手続補正１】
【補正対象書類名】実用新案登録請求の範囲
【補正対象項目名】請求項１
【補正方法】変更
【補正の内容】
【請求項１】
首まわり程の長さの長方形の布地を用い、長手方向の一端にマジックテープ（登録商標）凹面を設け、他端の反対側（ウラ面）にマジックテープ（登録商標）凸面を設け、長辺の片側を、両端から中央部にかけてゆるやかなカーブを描いた丘状に形成し、マジックテープ（登録商標）凹面と丘の頂上部と間の適所にロゴマークを設けたことを特徴とする日除けネックカバー。
(57)【要約】      （修正有）【課題】外出先でも手軽に活性水を利用できる様にする水改質材を提供する。【解決手段】トルマリン２、セリサイト３、ジルコニア５を含有させたセラミックス原料微粉を成形し、焼結させて水改質材１を形成し、該水改質材１を携帯可能な手動ポンプ式の噴霧器本体の液収納部に原水と共に収納する。トルマリンが発生する電荷と、セリサイトが有するイオン交換能、ジルコニアが放出する遠赤外線により、原水のクラスターが分断、細分化されて、活性水が生成される。【選択図】図１
0003163509.tif 000002
【実用新案登録請求の範囲】
【請求項１】
トルマリン及びセリサイトを含有させたセラミックス原料微粉を成形し焼結させて形成したことを特徴とする水改質材。
【請求項２】
セラミックス原料微粉にジルコニアを含有させたことを特徴とする請求項１記載の水改質材。
【請求項３】
手動ポンプ式の噴霧器本体の液収納部に請求項１又は２記載の水改質材を収納したことを特徴とする化粧水噴霧器。
【考案の詳細な説明】
【技術分野】
【０００１】
本考案は、水のクラスターを細分化して活性化する水改質材、及びこの水改質材を用いた化粧水噴霧器に関する。
【背景技術】
【０００２】
通常の水は、酸素原子と水素原子の電気陰性度の相違により極性を有し、そのため複数の水分子が静電気力により会合した凝集体（クラスター）を形成しており、クラスターの小さいもの程、浸透性が高く、水本来の特性を充分に発揮できる原始状態に近い良い水であるとされている。
又、クラスターを細分化する技術は既に数多くが存在し、例えば、水の電気分解と同様に電解質の水溶液に印加し、完全に分解するのではなく、その前段階で電極周囲に生成した活性水を取り出す技術、水中にて極微小の気泡（所謂、マイクロバブルやナノバブル）を発生させ、かかる気泡により、クラスターを分断して、水活性を行う技術、水の流通経路の脇に永久磁石又は電磁石を配置し、水の流通方向に直交する磁力線を水分子に作用させて、水活性を行う技術等が知られている。
【考案の概要】
【考案が解決しようとする課題】
【０００３】
ところが、上記従来の水活性技術は、いずれも携帯できない装置を必要とし、また得られた活性水を携帯ボトルに詰めても、経時的にクラスターが再び凝集し、大きくなり、次第に通常水に戻ってしまうことから、外出先でも、手軽に活性水を利用できる新技術の開発が求められた。
【課題を解決するための手段】
【０００４】
本考案は、トルマリン及びセリサイトを含有させたセラミックス原料微粉を成形し焼結させて形成することによって、かかる水改質材を原水と共に適宜容器に収納するだけで活性水を生成できる様にして、上記課題を解決する。
【考案の効果】
【０００５】
要するに本考案は、トルマリン及びセリサイトを含有させたので、かかる水改質材を原水に浸漬するだけで、トルマリンが発生する電荷と、セリサイトが有するイオン交換能により、クラスターが分断、細分化されて、活性水を生成することが出来る。
この活性水は、浸透性が高く、乾燥した肌に施すことにより、肌に潤いを与えることが出来、化粧の前後、外出時の日焼け後、入浴後のスキンケアーにも好適であり、更には、髪の寝ぐせ直しにも効果的である。
又、例えば水改質材を数ミリ大の粒状とし、かかる粒状の水改質材を携行すれば、外出先であっても、適宜容器と水道水を用いて、活性水を至極簡単に得ることが出来、日に焼けたり、乾燥風に肌を晒した後、外出先にて直ちにスキンケアーをすることが出来る。
【０００６】
ジルコニアを含有させたので、原水に温湯を使用することにより、トルマリン及びセリサイトによる水活性が促進されると共に、ジルコニアが放出する遠赤外線によって、水活性が更に促進される。
【０００７】
手動ポンプ式の噴霧器本体の液収納部に水改質材を収納したので、外出の前に液収納部に温湯を注入するだけで、簡単に活性水を作製でき、またそのまま持ち運べて便利である上、活性水と水改質材が常時接触していることから、クラスターが再凝集して活性が低下することがなく、使用時にも手軽に肌に噴霧できて使い勝手が良い等その実用的効果甚だ大である。
【図面の簡単な説明】
【０００８】
【図１】本考案に係る水改質材の断面模式図である。
【図２】本考案に係る化粧水噴霧器の要部破断概略図である。
【考案を実施するための形態】
【０００９】
以下、本考案の水改質材及び化粧水噴霧器につき詳細に説明する。
本考案の水改質材１は、図１に示す様に、トルマリン２、セリサイト３、及び結合材４を配合して得たセラミックスの原料微粉を適宜形状に成形し、焼結させて形成したものである。
【００１０】
トルマリン２は、結晶中に極性を有することから、電気石とも呼ばれ、圧電性及び焦電性を具備しており、加熱すると帯電し、またセリサイト３は、イオン交換能を有する。
本考案の水改質材１は、トルマリン２及びセリサイト３を含有していることから、原水と接触することにより、静電気力により会合しているクラスターにトルマリン２及びセリサイト３が有する上記性質が影響を及ぼし、比較的大きなクラスターが分断され、細分化されて、小さなクラスターへ変化するものと推察される。
【００１１】
セラミックス原料微粉にジルコニア５を含有させても良く、ジルコニア５を含有させた水改質材１は、温湯に接触させると、ジルコニア５が遠赤外線を放出し、かかる遠赤外線により、水活性が更に促進される。
【００１２】
結合材４としては、通常の窯業原料で良く、例えば、アルミナ、シリカ、カオリン等の粘土、陶石、長石等が上げられ、要するに、トルマリン２、セリサイト３、ジルコニア５と混合し、焼結させることで、各成分が一体となった水改質材１を形成し得るものであれば良い。
【００１３】
そして、図２に示す様に、手動ポンプ式の噴霧器本体６の液収納部７に水改質材１を収納して化粧水噴霧器８とすれば、持ち運びと使用が容易あり、使い勝手が良い。
尚、図２中、９はポンプの手押部、10は噴霧口、11は揚水管である。
【符号の説明】
【００１４】
１  水改質材
２  トルマリン
３  セリサイト
５  ジルコニア
６  噴霧器本体
７  液収納部
８  化粧水噴霧器
【図１】
0003163509.tif 000003
【図２】
0003163509.tif 000004
【手続補正書】
【提出日】平成22年8月5日(2010.8.5)
【手続補正１】
【補正対象書類名】実用新案登録請求の範囲
【補正対象項目名】全文
【補正方法】変更
【補正の内容】
【実用新案登録請求の範囲】
【請求項１】
トルマリン及びセリサイトを含有させたセラミックス原料微粉を粒状に成形し焼結させて形成したことを特徴とする水改質材。
【請求項２】
セラミックス原料微粉にジルコニアを含有させたことを特徴とする請求項１記載の水改質材。
【請求項３】
手動ポンプ式の噴霧器本体の液収納部に請求項１又は２記載の水改質材を収納したことを特徴とする化粧水噴霧器。
(57)【要約】      （修正有）【課題】省エネ効果を有する提灯と行燈、とうろうを提供する。【解決手段】ＬＥＤ又はＥＬランプ、薄膜形ＥＬ、有機ＥＬ１、を電源２で点灯し、これらをセルロイド、合成樹脂又はガラスの透明シート上に重ねて、任意の形状の光源とした。【選択図】図１
0003163542.tif 000002
【実用新案登録請求の範囲】
【請求項１】
電池を含む電源で発光するＬＥＤ又はＥＬランプ、薄膜形ＥＬ、有機ＥＬをセルロイド合成樹脂又はガラスでサンドイッチ構造又は貼り合わせた光源を使用した提灯と行燈、とうろう。  
【考案の詳細な説明】
【技術分野】
【０００１】
本考案は、従来の提灯と行燈、とうろうに関する。
【背景技術】
【０００２】
岐阜ちょうちんがあります。
【考案の概要】
【考案が解決しようとする課題】
【０００３】
しかしながら、従来の提灯と行燈は、光源のデバイスの発達に伴う省エネが計られていないという欠点がある。
【０００４】
本考案は、上記実情に鑑みてなされたものであり、光源のデバイスに最高の省エネ効果を有するデバイスを採用する事を目的としている。
【課題を解決するための手段】
【０００５】
上記目的を達成するため考案は、省エネ対策の提灯と行燈、とうろうとして次の構成を含むことを特徴としている。
光源としてのＬＥＤ、ＥＬランプ、薄膜形ＥＬ、有機ＥＬを電源（電池の場合もある。）により、光源の形状にフレキシビリティを持たせた光源の薄片部を透明シート（セルロイド又は合成樹脂、ガラス）でサンドイッチ又は貼り合わせた構成である。
【考案の効果】
【０００６】
本考案により、最高の省エネ対策の提灯、行燈、とうろうにできる。
【図面の簡単な説明】
【０００７】
【図１】本考案の提灯と行燈、とうろうの回路構成図である。
【図２】本考案の提灯と行燈、とうろうの光源の断面図（厚み方向）である。
【図３】本考案の提灯と行燈の正面図である。
【考案を実施するための形態】
【０００８】
本考案の実施の形態の一例について、図面を参照しながら説明する。
提灯と行燈、とうろうは図１に示すように、ＬＥＤ又はＥＬランプ、薄膜形ＥＬ、有機ＥＬ、１を電源（電池の場合も含む）２、で光源点灯し、これらをサンドイッチ又は貼り合わせにしている透明シート（セルロイド、合成樹脂又はガラス）３、により納めた提灯と行燈、とうろうである。
【符号の説明】
【０００９】
１      ＬＥＤ又はＥＬランプ、薄膜形ＥＬ、有機ＥＬ
２      電源、電池の場合もある。
３      透明シート（セルロイド、合成樹脂又はガラス）
４      提灯又は行燈
【図１】
0003163542.tif 000003
【図２】
0003163542.tif 000004
【図３】
0003163542.tif 000005
(57)【要約】【課題】  自動二輪車の各種電装品を電気的に接続する配線を束ねた自動二輪車のハーネスにおいて、ハンドルの操向操作に完全に追動可能で折り曲げられることがなく、長期の使用において亀裂を生じたり、配線の断線を生じることがなく、耐久性に優れるとともに、新規なデザインで美観に優れ、配線接続の作業も容易である自動二輪車のハーネスを提案する。【解決手段】  車体前頭部に設けられる主要電装品ユニット部へ至る部分をコイル状に形成したことを特徴とする。【選択図】  図１
0003163548.tif 000002
【実用新案登録請求の範囲】
【請求項１】
自動二輪車の各種電装品を電気的に接続する配線を束ねた自動二輪車のハーネスであって、
車体前頭部に設けられる主要電装品ユニット部へ至る部分をコイル状に形成したことを特徴とする自動二輪車のハーネス。
【考案の詳細な説明】
【技術分野】
【０００１】
この考案は、自動二輪車の各種電装品を電気的に接続する配線を束ねた自動二輪車のハーネスに関するものである。
【背景技術】
【０００２】
自動二輪車に搭載した各種電装品は、配線を束ね、端子を付け、カプラーに挿入するなどの線材加工（ワイヤーハーネス加工）を施したハーネスによって電気的に接続される。ハーネスは、ヘッドランプからテールランプまで各種の電装品を接続するために、クリップやバンド等で留めるなどして車体に沿って配線されている。
【０００３】
一方、車体前頭部には、ヘッドランプ、メーター、各種スイッチ等の主要電装品が集中して設けられ、そのユニット部に至る部分は配線数も増加し、ハーネスが太くなって柔軟性を失う傾向がある。そのため、ハンドルを切るごとにこのユニット部も首振りし、ユニット部に至る部分のハーネスのある箇所が折り曲げられ、この箇所に集中的にストレスが加わり、長期の使用に伴う疲労によって亀裂を生じたり、配線の断線を生じるなどの課題がある。この車体前頭部に設けられる主要電装品ユニット部へ至るハーネスは、ハンドルの操向操作に対して追動することができるように、ある程度の遊びを保たせた状態で配線されている。しかし、外観上の美観を損なうので、極端に垂れた状態で配線することは好ましくなく、ハンドルの切り返しに完全に追動することはできず、折り曲げられた箇所に集中的にストレスが加わることは、避けられないものであった。
【考案の概要】
【考案が解決しようとする課題】
【０００４】
この考案は、こうした課題を解決することを目的とするもので、ハンドルの操向操作に完全に追動可能で折り曲げられることがなく、長期の使用において亀裂を生じたり、配線の断線を生じることがなく、耐久性に優れた自動二輪車のハーネスを提案することを目的とするものである。また、新規なデザインで美観に優れ、配線接続の作業も容易である自動二輪車のハーネスを提案することを目的とするものである。
【課題を解決するための手段】
【０００５】
こうした目的を達成するため、この考案は、自動二輪車の各種電装品を電気的に接続する配線を束ねた自動二輪車のハーネスであって、車体前頭部に設けられる主要電装品ユニット部へ至る部分をコイル状に形成したことを特徴とするものである。
【考案の効果】
【０００６】
この考案の自動二輪車のハーネスは、車体前頭部に設けられる主要電装品ユニット部へ至る部分をコイル状に形成したことを特徴とするもので、このコイル状のハーネスは伸縮性、屈曲性を有し、ハンドルを切るごとのユニット部の首振りに自由に追動可能であり、ハーネスが折り曲げられることがない。したがって、長期の使用において亀裂を生じたり、配線の断線を生じることがなく、耐久性の飛躍的な向上を図ることができる。
【０００７】
また、ハーネスを極端な遊びや垂れた状態とする必要がなく、コイル状のハーネスは新規なデザインとして外観上の美観に優れるとともに、伸縮性、屈曲性を有しているので配線接続の作業も容易である。
【図面の簡単な説明】
【０００８】
【図１】この考案の実施例の説明図。
【考案を実施するための形態】
【０００９】
以下にこの考案を実施するための最良の形態について、図面を用いて説明する。
図面はこの考案の実施例の説明図で、自動二輪車の前頭部を示す。フロントフォーク１にハンドル２が連結され、ハンドル２の中央の位置にメーターユニット３、その下方にヘッドライトユニット４、その他スイッチ類、制御回路等の主要電装品からなるユニット部が車体前頭部に設けられている。
【００１０】
このユニット部へ至るハーネス１０は、図に示すようにコイル状に形成されている。ハーネス１０はユニット部内で分岐し、各種電装品に配線される。ハンドル２を切るごとにユニット部が首振りするが、ハーネス１０はコイル状であるから伸縮性、屈曲性を有し、自由に追動することができる。また、伸縮性を有しているので、垂れた状態で配線する必要がなく、外観上も好ましい。なお、主要電装品ユニット部へ至るハーネス１０は複数本設け、そのそれぞれをコイル状に形成することもできる。
【符号の説明】
【００１１】
１０  ハーネス
【図１】
0003163548.tif 000003
(57)【要約】      （修正有）【課題】ＬＥＤなどの光源を透明シートではさみ込み、貼り合せることにより、夜間も楽しむことができる様にした凧を提供する。【解決手段】ＬＥＤ又はＥＬランプ、薄膜形ＥＬ、有機ＥＬなどの光源１を、電源（電池の場合も含む）２、で点灯し、これらをサンドイッチ又は貼り合わせにしている透明シート（セルロイド、合成樹脂又はガラス）３の上に、従来の凧４を重ねてサンドイッチ又は貼り合わせて目的の凧とする。【選択図】図２
0003163541.tif 000002
【実用新案登録請求の範囲】
【請求項１】
電池を含む電源で発光するＬＥＤ又はＥＬランプ、薄膜形ＥＬ、有機ＥＬをセルロイド合成樹脂又はガラスでサンドイッチ構造又は貼り合わせにした凧。  
【考案の詳細な説明】
【技術分野】
【０００１】
本考案は、従来の凧あげ大会の凧に関する。
【背景技術】
【０００２】
世界の凧あげ大会の凧があります。
【考案の概要】
【考案が解決しようとする課題】
【０００３】
しかしながら、従来の凧は、イルミネーション手段を自身で有しないため昼間の凧あげ大会に限られているという欠点がある。
【０００４】
本考案は、上記実情に鑑みてなされたものであり、凧自身にイルミネーション手段を有し夜のエンタテイメントとする事を目的としている。
【課題を解決するための手段】
【０００５】
上記目的を達成するため考案は、夜のエンタテイメントにできる対策の自身にイルミネーション手段を有する凧として、次の構成を含む事を特徴としている。凧の紙を重ね光源であるＬＥＤ、ＥＬランプ、薄膜形ＥＬ、有機ＥＬを電源（電池の場合もある。）により光透過させ、夜空に凧の絵をくっきりと見せる光源の薄片部を透明シート（セルロイド又は合成樹脂、ガラス）でサンドイッチ又は貼り合わせた構造である。
【考案の効果】
【０００６】
本考案により、夜空にイルミネーション付き凧の凧あげ大会ができる。
【図面の簡単な説明】
【０００７】
【図１】本考案の凧の回路構成図である。
【図２】本考案の凧の断面図（厚み方向）である。
【図３】本考案の凧の正面図である。
【考案を実施するための形態】
【０００８】
本考案の実施の形態の一例について、図面を参照しながら説明する。
凧は図１に示すように、ＬＥＤ又はＥＬランプ、薄膜形ＥＬ、有機ＥＬ、１を電源（電池の場合も含む）２、で光源点灯し、これらをサンドイッチ又は貼り合わせにしている透明シート（セルロイド、合成樹脂又はガラス）３、の上に従来の凧を重ねてサンドイッチ又は貼り合わせて目的の凧とする。
【符号の説明】
【０００９】
１      ＬＥＤ又はＥＬランプ、薄膜形ＥＬ、有機ＥＬ
２      電源、電池の場合もある。
３      透明シート（セルロイド、合成樹脂又はガラス）
４．    凧
【図１】
0003163541.tif 000003
【図２】
0003163541.tif 000004
【図３】
0003163541.tif 000005
(57)【要約】      （修正有）【課題】炊飯器で米を炊くに当り、内釜に刻印された大雑把な目盛を使うことなく、炊飯する米の量に応じてより正確に水量を計り加水する事が出来る計量カップを提供する。【解決手段】透明な容器１の外側に、炊飯するものの種類２と、それぞれの水位線目盛り３を表示する。この表示は従来の炊飯器のうち釜に表示されているものより、より細かい目盛りである。容器上部一箇所には水の注ぎ口４を設け、反対側の外側面には持ち手５を設ける。【選択図】図１
0003163524.tif 000002
【実用新案登録請求の範囲】
【請求項１】
透明な容器の外側に、炊飯するものの種類と、それぞれの水位線目盛りを表示し、容器上部一箇所には水注ぎ口を設け、容器上方外側面に持ち手を設けたことを特徴とする炊飯器の加水計量カップ。
【考案の詳細な説明】
【技術分野】
【０００１】  本考案は、炊飯器の加水量を計るための炊飯器の加水計量カップに関するものである。
【背景技術】
【０００２】  従来の炊飯器の内釜には、米の量に対しての適宜な加水量を示す水位線が示されている。その水位線の目盛りは、釜の大きさにより様々である。
なお、目盛りが見えやすくする工夫がなされているものがある（特許文献１参照）。
【先行技術文献】
【０００３】
【特許文献１】  特開２００７−２９２１１号広報
【考案の概要】
【考案が解決しようとする課題】
【０００４】  炊飯器は、３合、５合、一升などの種類があり、内釜に示されている水位線は、釜の大きさにより様々である。一般的に、釜が大きくなるに従い目盛りの幅も大きくなっている。通常は、家族構成の変化などにより、米の炊く量が変化しても炊飯器まで取り換える事はなく、そのまま大きめの炊飯器を使う。この時、水位線の目盛りの幅が大きいので、より細かい水位が必要な場合には勘に頼り、目分量で加水量を決めている。そのため、炊き上がったご飯の状態が一定にならない。
本考案は以上の問題点を解決するものである。
【課題を解決するための手段】
【０００５】  透明な容器の外側に、炊飯するものの種類と、それぞれの水位線目盛りを表示する。この表示は従来の炊飯器の内釜に表示されているものより、より細かい目盛りである。容器上部一箇所には水の注ぎ口を設け、注ぎ口の反対側の外側面に持ち手を設ける。
以上の構成よりなる炊飯器の加水計量カップである。
【考案の効果】
【０００６】  この考案の最大の特徴は、米と水を別々に計量出来るようにし、内釜の大雑把な加水線に頼らず、計量カップのより正確な水位線目盛りに基づく、より確実な必要加水量が保証されることである。従来、内釜に米を入れ、表示されている加水線を目視しながら加水していた。水位線の幅が大きな炊飯器では、少量の炊飯をする場合の加水量は表示されていないので勘に頼って加水していた。この考案の計量カップにより、少量でも常に同じ状態の炊飯が可能である。従来の内釜を覗きながら加水する方法では見にくかったが、明るい場所で目盛りをはっきり確認することが可能なので、高齢者でも見やすく確実に加水量が計れる。また、炊飯するものの種類、炊飯器の大きさも選ばず、どの炊飯器にも対応可能である。
【図面の簡単な説明】
【０００７】
【図１】本考案の斜視図
【考案を実施するための形態】
【０００８】  以下、本考案の実施の形態を説明する。
透明な容器（１）の外側に、炊飯するものの種類表示（２）と、それぞれの水位線目盛り（３）を表示する。この表示は従来の炊飯器の内釜に表示されているものより、より細かい目盛りである。容器の上部一箇所には水注ぎ口（４）を設け、水注ぎ口（４）の反対側の外側面に持ち手（５）を設ける。
本考案は以上のような構造である。
本考案を使用するときは、洗った米をザルなどで水切りしておく。炊くものの種類と量に合った加水量を確認し、加水計量カップの該当目盛りまで水を入れる。米を炊飯器の内釜に入れ、加水計量カップで計った水を入れて炊く。これによって、研いだ米の量の多少に関係なく、常に一定の炊き上がり方になって美味しくいただける。
【符号の説明】
【０００９】  （１）容器、（２）種類表示、（３）水位線目盛り、（４）水注ぎ口、（５）持ち手
【産業上の利用可能性】イ）  これから先、高齢者が増えてくるので、大きく見やすい目盛りが有効的である。
ロ）  炊飯するものの種類（おかゆ、玄米、雑穀米など）、炊飯器の大きさを問わず利用可能。
ハ）  比較的安価で作成出来る。
二）  炊飯量が減っても、炊飯器を買い換える必要がない。
【図１】
0003163524.tif 000003
(57)【要約】【課題】  回転するピストンにおいて、ピストンの回転により生じる振動を防止する手段を提供することを課題とする。【解決手段】  ピストン回転軸を軸にして回転するピストンと、ピストン回転軸をクランク状に延長した新たなピストン回転軸を有する構造において、ピストン回転軸に、ピストンに接しないおもりを、ピストン及びピストン回転軸並びにおもり合計の重心が新たなピストン回転軸に位置するように設置する構造とすることで、ピストンが新たなピストン回転軸を軸にして回転する際に生じる回転による振動を防止したピストンを提供する。【選択図】図１
0003163522.tif 000002
【実用新案登録請求の範囲】
【請求項１】
ピストン回転軸を軸にして回転するピストンと、ピストン回転軸をクランク状に延長した新たなピストン回転軸を有する構造において、ピストン回転軸に、ピストンに接しないおもりを、ピストン及びピストン回転軸並びにおもり合計の重心が新たなピストン回転軸に位置するように設置する構造とすることで、ピストンが新たなピストン回転軸を軸にして回転する際に生じる回転による振動を防止することを特徴とするピストン。
【考案の詳細な説明】
【技術分野】
【０００１】  この考案は回転するピストンにおける、ピストンの回転により生じる振動を防止する手段に関するものである。
【背景技術】
【０００２】  ピストン回転軸を軸にして回転するピストンに、ピストン回転軸をクランク状に延長した、新たなピストン回転軸を有する構造により、ピストンを、ピストン回転軸を軸にして回転させながら新たなピストン回転軸を軸にして回転させることで、ピストンを回転させながら往復運動をさせることができる。
【考案の開示】
【考案が解決しようとする課題】
【０００３】    しかしながら、かかる構造を用いてピストンを回転させながら往復運動をさせた場合、新たなピストン回転軸を軸にした回転において重心が軸からずれているため、回転により振動が生じるという不都合があった。【０００４】  この考案の課題は、これらの不都合を解消することである。
【課題を解決するための手段】
【０００５】  前記課題を達成するために、本発明の回転による振動を防止したピストンは、ピストン回転軸を軸にして回転するピストンと、ピストン回転軸をクランク状に延長した新たなピストン回転軸を有する構造において、ピストン回転軸に、ピストンに接しないおもりを、ピストン及びピストン回転軸並びにおもり合計の重心が新たなピストン回転軸に位置するように設置するという構成を有する。
【考案の効果】
【０００６】  この構成によって、ピストンが新たなピストン回転軸を軸にして回転する際に生じる回転による振動を防止することが出来る。
【考案を実施するための最良の形態】
【０００７】  以下、考案を実施するための形態を説明する。図１は考案の構成を示す断面図である。【０００８】  図１において、ピストン１の重心はピストン回転軸２の位置にあるため、ピストン１がピストン回転軸２を軸として回転する際に振動は発生しない。【０００９】  新たなピストン回転軸３はピストン回転軸２をクランク状に延長したものであり、ピストン１はピストン回転軸２を軸として回転しながら、新たなピストン回転軸３を軸として回転する。【００１０】  しかしながら、ピストン１の重心はピストン回転軸２にあるため、ピストン１が新たなピストン回転軸３を軸として回転する際には、重心が新たなピストン回転軸３からずれていることにより振動が生じる。【００１１】  この振動の発生を防止するために、ピストン回転軸２に、ピストン１及びピストン回転軸２並びにおもり４合計の重心が新たなピストン回転軸３に位置するようにおもり４を設置する。【００１２】  その際、おもり４を設置してもピストン１がピストン回転軸２を軸にして回転できるように、おもり４はピストン１の内側、かつピストン１に接しない位置に設置する。【００１３】  このように構成することで、ピストン１がピストン回転軸２を軸に回転する際の重心をピストン回転軸２に位置させながら、かつ、ピストン１が新たなピストン回転軸３を軸に回転する際の重心を新たなピストン回転軸３に位置させることができる。【００１４】  これにより、ピストン１がピストン回転軸２を軸に回転しながら、かつ、新たなピストン回転軸３を軸に回転する際に、回転による振動は生じない。
【産業上の利用可能性】
【００１５】  ローターリーコンプレッサーなど、ピストンを回転させながら、かつ往復運動をさせる場合に、回転による振動を防止することができる。
【図面の簡単な説明】
【００１６】
【図１】本考案の構成を示す断面図である。
【符号の説明】
【００１７】１  ・・・  ピストン
２  ・・・  ピストン回転軸
３  ・・・  新たなピストン回転軸
４  ・・・  おもり
【図１】
0003163522.tif 000003
(57)【要約】      （修正有）【課題】首、胸、背中の汗を除去し、交換が容易なマフラーを提供する。【解決手段】吸湿性の良いタオル等の布を背中の大きさに設け、その首の後方に当たる部分を孤状に切り広げた布２を吸湿性の良いマフラー１に接合する。【選択図】図２
0003163523.tif 000002
【実用新案登録請求の範囲】
【請求項１】
吸湿性の良いマフラーと吸湿性の良い布を背中の大きさに設けその首の後方に当たる部分を孤状に切り広げた布とを接合したもので構成し、それを上衣やパジャマの下にはおり、マフラーの部分を襟元から出すことにより、首、胸、背中の発汗による、不快感や皮膚の疾患を減少させる事が出来る等の特徴を有するしあわせマフラー。
【考案の詳細な説明】
【技術分野】
【０００１】  本考案は吸湿性マフラーの背中部分に吸湿性布を設けた健康衣料に関するものである。
【背景技術】
【０００２】  暑さや運動等により生じる、汗や不快感の除去はタオル等を首に巻くなどあり背中や胸などの汗は除去出来なかった。
【考案が解決しようとする課題】
【０００３】  首に巻くだけのタオルは、首だけの汗等の除去であり胸や背中の汗等は除去出来ない。従って、タオルを吸湿性のあるマフラーに変え背当布を設ける事により前述の欠点を解決しょうとするものである。
【課題を解決するための手段】
【０００４】  本考案は吸湿性のあるマフラーに、吸湿性のある背当布を設け、上衣の下に装着し襟元からマフラー部分を出す事により問題点を解決している。
【考案の効果】
【０００５】  上述の様に、本考案のしあわせマフラーは首回り背中胸の汗の吸湿、除去ができるので、このしあわせマフラーを上着やパジャマの下に着用する事により涼しく快適に過ごせる、首から引き抜く事ができるので濡れたら交換が容易又材質を色々変える事によりおしゃれ着等にも着用でき一枚の布に近いので洗濯がしやすい。
【考案を実施するための形態】
【０００６】  吸湿性の良いマフラー状の布と吸湿性の良いタオル等の布を背中の大きさに設けその首の後方に当たる部分を孤状に切り取った布を接合した物で構成し上着やパジャマの下に着用し襟のマフラー部分を適宜に出す等により首、胸、背中の発汗等による不快感や症状を除去する事ができる。
【実施例】
【０００７】  以下、添付図面にしたがって、実施例を説明する。
［図１］は、吸湿性の良いマフラー部分（１）と吸湿性の良いタオル様の布を背中の大きさに用意し後方の首の部分を取り除いた物（２）、を［図２］の様に接着した全面図［図４］は後方図
【図面の簡単な説明】
【０００８】
【図１】本考案の展開図である
【図２】本考案の展開図（１）［２］を接合した図である
【図３】しあわせマフラーを上衣の下に装着した全面図である
【図４】しあわせマフラーを上衣の下に装着した後方図である
【符号の説明】
【０００９】１  マフラー部分
２  背当布部分
【図１】
0003163523.tif 000003
【図２】
0003163523.tif 000004
【図３】
0003163523.tif 000005
【図４】
0003163523.tif 000006
(57)【要約】      （修正有）【課題】めん類の水切りを行なう時に，手の負担を軽減することのできるめん類の水切り用受台を提供する。【解決手段】先ず、茹でためん類１１をあげ網１２にすくい取り、あげ網底部１２ａを水切り用受台７の金網２の水切り用受台上部１０中心部に持って来る。次に、それを上下にさせて金網２の上部に少し叩くように接触させ、めん類１１に付着した湯を切る。この時、あげ網底部１２ａが水切り用受台１０の上部の金網２の上部１０に接触した時、金網２と受皿４との間に設けられた弾性体３がクッションとなり、水切り用スライド枠１が上下して、あげ網１２が金網２に当たる力をやわらげるので、あげ網１２を上下させる手の負担を少なくし，手が痛み難くなる。【選択図】図３
0003163526.tif 000002
【実用新案登録請求の範囲】
【請求項１】
受皿とこの受皿に摺動自在に嵌合する水切り用スライド枠とこの水切り用スライド枠の一端に張られた金網とを備えたことを特徴とする，めん類の水切り用受台
【請求項２】
上記金網と上記受皿の底部との間に弾性体を設けたことを特徴とする，請求項１記載のめん類の水切り用受台
【請求項３】
上記弾性体は，スプリングであることを特徴とする，請求項１または，請求項２記載のめん類の水切り用受台
【考案の詳細な説明】
【技術分野】
【０００１】  この考案は，めん類を茹でた後，水切りを行なうための水切り用受台に関するものである。
【背景技術】
【０００２】  めんを茹でて，水分を切るのに，あげ網又は取手付かごにめんを入れてこれを上下させて水分を切っていた。
【考案の概要】
【考案が解決しようとする課題】
【０００３】  上記のような従来の水切りは，あげ網又は取手付かごにめん類を入れて空中で上下に振っていたので，手に負担が掛かり，手を痛めるという問題点があった。【０００４】  この考案は，上述のような問題点を解決するためになされたもので，めん類の水切りを行なう時に手の負担を軽減させることができるめん類の水切り用受台を得ることを目的とする。
【課題を解決するための手段】
【０００５】  この考案のめん類の水切り用受台は，受皿と，この受皿に摺動自在に嵌合する水切り用スライド枠とこの水切り用スライド枠の一端に張れた金網【０００６】  また上記金網と上記受皿の底部との間に弾性体を設けたもので，また弾性体はスプリングとしたものである。
【考案の効果】
【０００７】  この考案のめん類の水切り用受台は，金網が張られた水切りスライド枠と受皿との間に弾性体を設けたので，水切りを行なう時に弾性体がクッションとなり，手の負担が少なくなり，手の痛みが少なくなる。
【図面の簡単な説明】
【０００８】
【図１】  この考案の実施の形態を示すめん類の水切り用受台の斜視図である。
【図２】  この考案の実施の形態１を示すめん類の水切りをする受台の図１の線Ａ−Ａに沿う断面図である。
【図３】  この考案の実施の形態１を示すめんの入ったあげ網の図３の使用形態の図である。
【考案を実施するための形態】
【実施例１】
【０００９】  図１は，この考案の一実施の形態を示すめん類の水切り用受台の斜視図である。図２は，図１の線Ａ−Ａに沿う断面図である。図３は，図１に示すめん類の水切り用受台の使用状態を示す説明図である。図において，７はめん類の水切り用受台であり，受皿４と水切り用スライド枠１とで構成されている。受皿４は外形が円形で受皿底部４ａを有している。また，受皿４は受皿底部４ａの近傍らに排水口６と複数の止め金５を備えている。水切り用スライド枠１は円筒状の内枠になっており，一端に金網２が張られ，他端は開放されている。３は複数のスプリング，すなわち弾性体であり，一端が金網２に固着され，他端は底部４ａに設けられたバネ止め８に係止されている。また，水切り用スライド枠の外径Ｌ１は受皿４の内径Ｌ２に対して上下に摺動自在に嵌合するように形成されている。なお，弾性体は例えば板バネ，蛇腹状のものでも良い。【００１０】  上述のように構成されためん類の水切り用受皿の使用方法を図３に基づき説明する。先ず，茹でためん類１１をあげ網１２にすくい取り，あげ網底部１２ａを水切り用受台７の金網２の水切り用受台上部１０中心部に持って来る。次に，それを上下にさせて金網２の上部に少し叩くように接触させ，めん類１１に付着した湯を切る。この時，あげ網底部１２ａが水切り用受台１０の上部の金網２の上部１０に接触した時，金網２と受皿４との間に設けられた弾性体３がクッションとなり，水切り用スライド枠１が上下して，あげ網１２が金網２に当たる力をやわらげるので，あげ網１２を上下させる手の負担を少なくし，手が痛み難くなる。【００１１】  なお，この実施例１では，金網２と受皿４との間に弾性体３を設けるようにしたが，弾性体３を設けなくても金網のクッション効果により，従来のものより手の負担が軽減される。【００１２】  また従来は，茹で釜の上でめん類の湯切りを行なっていたので，めん類の打ち粉等の表皮剥離湯等が釜の中に入って湯が汚れていたが，本考案では，受皿４の上で湯切りを行なうようにしたので，打ち粉等の表皮剥離湯等は受皿４の中に溜まるので，釜の湯の濁りが少なくなる。【００１３】  また従来は，個人差はあるが，手の負担があるため，よく湯切りをしない人もいる。よく湯切りをしないとスープが水っぽくなり，スープとの絡みが悪くなる。
【符号の説明】
【００１４】１  水切り用スライド枠，２  金網，３  弾性体，４  受皿，４ａ  底部，７  水切り用受台  Ｌ１  水切り用スライド枠外径，Ｌ２  受皿の内径
【図１】
0003163526.tif 000003
【図２】
0003163526.tif 000004
【図３】
0003163526.tif 000005
(57)【要約】      （修正有）【課題】コンパクトディスク二枚を脱落することなく安全に収納でき、しかも低コスト化・省資源化を図るコンパクトディスク包装・保存用蓋付二重ポケット袋を提供する。【解決手段】透明・半透明のプラスチックシートを折り合わせて、表面１と裏面２を成し、その間に不織布３を挟み込んで、それぞれを左右端で溶着４して二重ポケットを構成し、さらに表面１と不織布３の間に差し込めるようにした蓋面５が、裏面２の天辺を折り目６として連続一体化して、袋を封止できる。また蓋面５は、表面１上に折り合わせて袋の封止しても良く、さらに雌雄一対で噛み合う差込みロックカットを、蓋面５と表面１に一対で打ち抜き、蓋面５を表面１上にロックして、袋を封止しても良い。【選択図】図１
0003163527.tif 000002
【実用新案登録請求の範囲】
【請求項１】
透明・半透明のプラスチックシートを、折り目６で折り合わせて表面１と裏面２とし、その間に不織布３を挟み込んで、それぞれを左右端で溶着４して二重ポケットを成し、さらに表面１と不織布３の間に差し込めるようにして袋を封止する蓋面５が、裏面２の天辺を折り目６として連続一体化した、コンパクトディスク包装・保存用蓋付二重ポケット袋。
【請求項２】
蓋面５を表面１上に折り合わして袋を封止することを特徴とする、請求項１記載のコンパクトディスク包装・保存用蓋付二重ポケット袋。
【請求項３】
雌雄一対で噛み合いロックできる差込みロックカット７が、蓋面５と表面１に一対で打ち抜かれ、蓋面５を表面１上にロックして袋を封止することを特徴とする、請求項２記載のコンパクトディスク包装・保存用蓋付二重ポケット袋。
【考案の詳細な説明】
【技術分野】
【０００１】  本考案は、コンパクトディスクを二枚収納できる上、蓋を閉じて袋を封止し包装・保存ができる、コンパクトディスク収納袋に関するものである。
【背景技術】
【０００２】  コンパクトディスクを包装・保存する場合、主にプラスチックケースや不織布袋に収納していた。
【考案の開示】
【考案が解決しようとする課題】
【０００３】  プラスチックケースによる包装・保存は、コンパクトディスク一枚しか収納できない上、構造が複雑でコストが高く、プラスチック資源も多く使用する。また不織布袋は、蓋付きでないため、コンパクトディスクが脱落する心配がある。従って、コンパクトディスク二枚収納できる二重ポケットにして、さらに蓋を付けることにより、前述の欠点を解決しようとするものである。
【課題を解決するための手段】
【０００４】  本考案は、透明・半透明のプラスチックシートを、折り目６で折り合わして表面１と裏面２とし、その間に不織布３を挟み込んで、それぞれを左右端で溶着４して二重ポケットを成し、さらに表面１と不織布３の間に差し込めるようにして袋を封止する蓋面５が、裏面２の天辺を折り目６として連続一体化したものである。また蓋面５を表面１上に折り合わして袋の封止をすることもでき、さらに雌雄一対で噛み合う差込みロックカット７を、蓋面５と表面１に一対で打ち抜き、蓋面５を表面１上にロックして袋を封止することにより、問題を解決している。
【考案の効果】
【０００５】  上述の様に、不織布３を間に挟んだ二重ポケット構造にしているので、不織布３でコンパクトディスクを傷付けずに二枚収納でき、しかも袋を蓋面５で封止することができるので、コンパクトディスクの脱落も防げて安全に収納できる。その上高価な金型の必要もなく、プラスチックシートと不織布を溶着するだけなので、省資源・低コスト・簡易に製造できる効果がある。
【考案を実施するための最良の形態】
【０００６】  透明・半透明で０，１ｍｍ〜０，３ｍｍ厚ポリプロピレン製プラスチックシートと、ポリプロピレン製不織布の両者が、溶着性にも優れた最適素材である。そのプラスチックシートを筋入れによる折り目６で折り合わして、表面１とそれより長い裏面２を成し、その間に両者の間の所望長で不織布３を挟み込み、溶断シールでそれぞれを左右端で溶着４して、二重ポケットを構成した中に、コンパクトディスク入力面を不織布３面に合わして二枚を収納できる。さらに、裏面２天辺をミシン切目による折り目６として、蓋面５が連続一体化されているので、蓋面５を表面１上に容易に折り合わすことができ、その上蓋面５は、表面１と不織布３の間に差し込めるように、先端左右をアールで角落としして窄めており、袋を封止できるようにしている。
【実施例】
【０００７】  また蓋面５は、表面１上に折り合わして別途シール等で封止したり、蓋面５の裏面先端部に粘着加工を施し粘着封止することもでき、また、雌雄一対の差込みロックカット７を、蓋面５には円弧状ツメで、表面１には溝で打ち抜き、両者一対を噛み合わせて袋を封止することもでき、この前記ツメや溝以外の形の、雌雄一対の噛み合わせの差込みロックカットにすることもできる。そして、これらの場合、蓋面５の先端左右を所望大のアールで角落とししてもしなくてもよいし、アール以外の所望形にしてもよい。【０００８】  また素材は、ポリプロピレン製プラスチックシートやポリプロピレン製不織布以外でも、双方で溶着できる素材であれば良く、さらに表面１は、裏面２までのディスクを収納できる長さであれば良く、不織布３は、前記両者の間の長さであれば良い。そして溶着４は、溶断シール以外に超音波シールや高周波シールなどでも良く、それらの場合は、機械上袋左右端から数ミリ内側で溶着４しなければできない。また袋全体の四角形四隅を、安全のため角丸落とししてもしなくても良く、さらに折り目６は、ミシン切目・筋入れのどちらでも良い。そして使用法として、片ポケットにコンパクトディスクを一枚収納し、他ポケットにデータ記録紙や印刷物などを収納することもできる。
【産業上の利用可能性】
【図面の簡単な説明】
【０００９】
【図１】本考案のコンパクトディスク包装・保存用蓋付二重ポケット袋の、蓋面５を差し込み袋を封止する、一実施例を示す正面図である。
【図２】図１に示すコンパクトディスク包装・保存用蓋付二重ポケット袋の、超音波シールで製袋した、一実施例を示す正面図である。
【図３】図４に示す、コンパクトディスク包装・保存用蓋付二重ポケット袋の左側面図である。
【図４】本考案のコンパクトディスク包装・保存用蓋付二重ポケット袋の、蓋面５を表面１上に折り合わして袋を封止する、一実施例を示す正面図である。
【図５】本考案のコンパクトディスク包装・保存用蓋付二重ポケット袋の、蓋面５と表面１の差込みロックカット７で噛み合わして袋を封止する、一実施例を示す正面図である。
【符号の説明】
【００１０】１  表面
２  裏面
３  不織布
４  溶着
５  蓋面
６  折り目
７  差込みロックカット
【図１】
0003163527.tif 000003
【図２】
0003163527.tif 000004
【図３】
0003163527.tif 000005
【図４】
0003163527.tif 000006
【図５】
0003163527.tif 000007
(57)【要約】【課題】天ぷら油火災発生時において、消火パックを可燃性箱から取り出すことなくそのまま火元に挿入でき、初期消火に有効な消火パックの提供が切望されている。【解決手段】消火液を充填した消火弾と、同消火弾を挿入した可燃性箱からなることを特徴とする消火パックであり、消火パックを可燃性箱に梱包し、さらに、前期可燃性箱から取り出すことなくそのまま火元に挿入できるので、初期消火に有効で、また、可燃性箱に開口部をあけることで、さらに消火時間を早めることができ、初期消火に有効な消火パックである。【選択図】図１
0003163530.tif 000002
【実用新案登録請求の範囲】
【請求項１】
消火液を充填した消火弾と、同消火弾を挿入した可燃性箱からなることを特徴とする消火パック。
【請求項２】
上記可燃性箱に開口部を設けたことを特徴とする請求項１に記載の消火パック。
【考案の詳細な説明】
【技術分野】
【０００１】本考案は天ぷら油火災用の消火パックに関し、天ぷら鍋挿入時の使用性に関する。
【背景技術】
【０００２】天ぷら油火災発生時において、気が動転している場合でも消火パックを天ぷら鍋に挿入する使用性が必要とされる。
【先行技術文献】
【特許文献】
【特許文献】特許第２６４４７００号公報
【０００３】
【考案の概要】
【考案が解決しようとする課題】
【０００４】消火パックを天ぷら鍋に挿入する際に、挿入しにくい場合や正確に挿入できなかった為に消火に至らない場合がある。【０００５】本考案は、前述したような状況起こさない消火パックを提供することである。
【課題を解決するための手段】
【０００６】本考案は、消火液を充填した消火弾と、同消火弾を挿入した可燃性箱からなる消火パックであって、さらに、前記可燃性箱に開口部を設けたことを特徴とする消火パックである。
【考案の効果】
【０００７】消火パックを可燃性箱から取り出すことなくそのまま火元に挿入できるので、初期消火に有効である。さらに可燃性箱に開口部をあけることで消火時間を早めることができ初期消火に有効である。
【図面の簡単な説明】
【０００８】
【図１】消火パックを示す斜視図である。
【図２】図１のＡ−Ａ線矢視の横断面図である。
【図３】図１のＢ−Ｂ線矢視の正面図である。
【考案を実施するための形態】
【０００９】図１から図３を参考に、本考案に関わる具体的な実施例を以下説明する。
【実施例】
【００１０】図１に図示する如く、本実施例では、消火弾１を挿入した消火パックを梱包する可燃性箱２には、再生紙を使用しており、着火しやすく、かつ、燃焼時及び燃焼後も環境を害するような汚染物質は皆無である。さらに可燃性箱２に開口部２ａをあけることで、消火時間を早めることができ初期消火に有効である。なお、可燃性箱２に開口部２ａをあけた開口部２ａの形状は、円形や楕円形、必要によっては矩形など条件に応じて変更できることは言うまでもない。
【産業上の利用可能性】
【００１１】本考案は、火災発生時には消火に使用する天ぷら油火災用消火パックであり、平時は壁に吊り下げられ紛失の恐れが少ない。また、可燃性箱に梱包されていることから、持ちやすく使用しやすい。
【符号の説明】
【００１２】１・・・消火弾
２・・・可燃性箱
２ａ・・・可燃性箱に設けた開口部
【図１】
0003163530.tif 000003
【図２】
0003163530.tif 000004
【図３】
0003163530.tif 000005